(57)【要約】【課題】  チェックシートでキーワードを隠さなくてもキーワードが見えずに暗記したかどうかの確認ができ、さらに暗記が正確にできているか否かを確認することができるテスト勉強用資料を作成する画像形成装置を提供することを目的とする。【解決手段】  本発明の画像形成装置は、原稿の画像データを取得する画像データ取得手段と、取得された画像データから、キーワード等の解答を表す色で表示される原稿の領域を認識する消去領域認識手段と、認識された領域内の文字を消去する消去処理を取得された画像データに施す消去手段と、原稿の複写物と、上記消去処理が施された画像データの印刷物を出力する出力手段を備える。【選択図】  図３
2006121205.tif 000002
【特許請求の範囲】
【請求項１】
原稿の画像データを取得する画像データ取得手段と、
取得された画像データから、消去すべき領域を表す色で表示される原稿の領域を認識する消去領域認識手段と、
認識された領域内の文字を消去する消去処理を取得された画像データに施す消去手段と、
原稿の複写物と、上記消去処理が施された画像データの印刷物を出力する出力手段を備えたことを特徴とする画像形成装置。
【請求項２】
上記消去処理は、認識された領域内を無地とする、又は、認識された領域内の文字を文字の周囲の色と同一色とする処理である請求項１に記載の画像形成装置。
【請求項３】
上記出力は、原稿の複写物と上記印刷物を同一用紙に印刷することである請求項１に記載の画像形成装置。
【発明の詳細な説明】
【技術分野】
【０００１】
本発明は、コピー機、プリンタ、複合機などの画像形成装置に関する。
【背景技術】
【０００２】
学生等がテストで出題されるキーワードを暗記するために、キーワードとなる単語のみが赤字で印刷され、チェックシートと呼ばれる赤色の半透明のシートが付いた教材が市販されている。キーワードにチェックシートを被せると、赤字で印刷されたキーワードのみが見えなくなってキーワードの暗記に役立つので、テスト勉強の際にこのような教材が学生等の間で利用される。
【０００３】
また、テスト勉強の際に、優先的に暗記するキーワードをマーカでマーキングすることがある。マーキングされたキーワードを暗記するために、特開平８−３０７６５１号公報に記載された技術のように、マーキングされた箇所を黒や白で塗りつぶすと、キーワードが見えなくなってキーワードを効果的に暗記することができる。
【特許文献１】特開平８−３０７６５１号公報
【発明の開示】
【発明が解決しようとする課題】
【０００４】
しかし、チェックシートでキーワードを見えなくすることができる教材を利用して勉強をするためには、チェックシートが必要であるので、チェックシートを携帯していなければ、上記のように教材を利用してテスト勉強をすることができない。また、チェックシートを教材に被せて勉強しなければならないので、チェックシートを被せることに気が取られて勉強に集中することができない。
【０００５】
一方、キーワードを白や黒で塗り潰すと、キーワードを正確に暗記したか否かの確認ができなくなる。
【０００６】
そこで、本発明は、チェックシートでキーワードを隠さなくてもキーワードが見えずに暗記したかどうかの確認ができ、さらに暗記が正確にできているか否かを確認することができるテスト勉強用資料を作成する画像形成装置を提供することを目的とする。
【課題を解決するための手段】
【０００７】
本発明の画像形成装置は、原稿の画像データを取得する画像データ取得手段と、取得された画像データから、消去すべきキーワード等を表す色で表示される原稿の消去すべき領域を認識する消去領域認識手段と、認識された領域内の文字を消去する消去処理を取得された画像データに施す消去手段と、原稿の複写物と、上記消去処理が施された画像データの印刷物を出力する出力手段を備える。
【０００８】
画像データ取得手段が行う原稿の画像データの取得は、スキャナでの読み取り、ネットワークを介しての通信、記憶媒体からの読み出し等によって行う。
【０００９】
キーワードを表す色で表示される領域とは、キーワードを表す色のペンやマーカ等でマーキングされた領域や、キーワードを表す色の文字自体である。
【００１０】
消去処理は、認識された領域内の文字が肉眼で認識できなくなるようにする処理であり、具体的には、画像データ取得手段が取得した画像データの認識された領域に対応する画像データを白や黒の無地であることを示す画像データに変換したり、認識された領域内の文字を文字の周囲の色と同一色にすることである。
【発明の効果】
【００１１】
以上のように、本発明の画像処理装置は、原稿の複写物と、消去処理が施された画像データの印刷物を出力するので、キーワードを暗記しているか否かを確認するときは、消去処理が施された画像データの印刷物を用いて行うことができ、キーワードを正確に暗記できているか否かを確認するときは、原稿の複写物を用いて確認することができる。
【発明を実施するための最良の形態】
【００１２】
図１は、本実施の形態の画像形成装置１００の外観図である。図１に示すように、画像形成装置１００は、本体１０２と、本体１０２の上面に設けられた原稿台１０５を開閉するプラテンカバー１０３を備える。プラテンカバー１０３には、ＡＤＦ（Auto  Document  Feeder）１０４が設けられている。
【００１３】
画像形成装置１００は、原稿台１０５及びＡＤＦ１０４に載置された原稿を読み取って、複写することができる。ユーザは、画像形成装置１００に原稿を複写させる場合、複写したい原稿を原稿台１０５又はＡＤＦ１０４に載置して、図１に示す操作パネル１０６を用いて複写命令を画像形成装置１００に入力する。
【００１４】
本発明の画像形成装置１００は、原稿の複写物を出力するだけでなく、テスト勉強用資料として、原稿の複写物と、複写する原稿の一部の領域内の文字を肉眼で認識できなくした印刷物も出力することができる。
【００１５】
テスト勉強用の資料を出力する場合、ユーザは、原稿台１０５又はＡＤＦ１０４にテスト勉強用資料となる原稿を載置して、図２に示す操作パネル１０６の資料作成キー２０１を押下する（図４、Ｓ４０１）。資料作成キー２０１が押下されると、図３に示す画像形成装置１００に設けられた画像データ取得手段３０１は、原稿台１０５又はＡＤＦ１０４に原稿が載置されているかどうかを確認する。原稿台１０５に原稿が載置されている場合、画像データ取得手段３０１は、原稿台１０５を走査して原稿台１０５に載置された原稿を読み取る。原稿台１０５に原稿が載置されていない場合、画像データ取得手段３０１は、ＡＤＦ１０４を駆動して、ＡＤＦ１０４に載置された原稿を読み取る。
【００１６】
原稿を読み取ると、画像データ取得手段３０１は、原稿の画像データを生成して、消去領域認識手段３０２と出力手段３０４に入力する（図４、Ｓ４０２）。
【００１７】
画像データが入力されると、消去領域認識手段３０２は、記憶手段３０５に記憶された色を認識する（図４、Ｓ４０３）。記憶手段３０５への色の記憶は、操作パネル１０６を用いて予めユーザによって行われても、画像形成装置１００の製造時に行われてもよい。記憶手段３０５に記憶させる色は、原稿に印刷された暗記する必要のあるキーワードの色や、キーワードのマーキングに用いるマーカ等の色である。
【００１８】
色を認識すると、消去領域認識手段３０２は、入力された画像データに基づいて、認識した色で囲まれた原稿の領域に対応する画像データをキーワード領域として認識する（図４、Ｓ４０４）。キーワード領域を認識すると、消去領域認識手段３０２は、キーワード領域と、画像データ取得手段３０１から入力された画像データを消去手段３０３に入力する。
【００１９】
キーワード領域と画像データが入力されると、消去手段３０３は、入力された画像データのキーワード領域を黒や白、或いは、記憶手段３０６に記憶された色に変換する消去処理を行う（図４、Ｓ４０５）。
【００２０】
白や黒、或いは、記憶手段３０６に記憶された色に変換することに代えて、キーワード領域に含まれる文字の色が文字の周囲の色と同一色となるように画像データを変換してもよい。周囲の色とは、例えば、原稿の色や、マーキングに用いられたマーカの色である。      
【００２１】
消去処理によって、原稿の認識した領域内に文字が記載されていても、画像データに文字のデータが残らなくなる。
【００２２】
例えば、図５（ａ）に示すように中央部分の「ＡＢＣ」の文字列にのみ記憶手段３０６に記憶された色のマーカでマーキングがされている原稿の場合、図５（ｂ）に示すように「ＡＢＣ」の文字列の画像データが白や黒、或いは、記憶手段３０６に記憶された色に変換される。
【００２３】
消去処理を行うと、消去手段３０３は、消去処理を施した画像データを出力手段３０４に入力する。
【００２４】
消去手段３０３から画像データが入力されると、出力手段３０４は、画像データ取得手段３０１から入力された画像データの印刷物、即ち原稿の複写物と、消去手段から入力された画像データの印刷物の出力を行う（図４、Ｓ４０６）。
【００２５】
これらの２つの画像データの出力形態は、限定されるものでなく、２つの画像データを別々の用紙に印刷しても、図６に示すように同一の用紙に印刷しても良い。
【００２６】
以上のように、本発明の画像形成装置１００は、原稿の複写物と、記憶手段３０６に記憶された色で囲まれた領域の文字を肉眼で認識できなくするための消去処理を施した画像データの印刷物を出力するので、キーワードを暗記しているか否かを確認するときは、消去処理が施された画像データを用い、キーワードを正確に暗記できているか否かを確認するときは、消去処理の施されていない原稿の複写物で確認することができる。
【００２７】
なお、原稿台１０５又はＡＤＦ１０４に載置された原稿を読み取って画像データを取得しているが、画像データの取得は、原稿台１０５又はＡＤＦ１０４に載置された原稿を読み取ることに限られない。例えば、ＬＡＮ（Local  Area  Network）等のネットワークを介して画像データを取得してもよし、画像形成装置１００に内蔵されたハードディスクから画像データを読み出すことで取得してもよい。
【図面の簡単な説明】
【００２８】
【図１】本実施の形態の画像形成装置の外観図。
【図２】本実施の形態の画像形成装置の操作パネルの概略図。
【図３】本実施の形態の画像形成装置の機能ブロック図。
【図４】原稿の複写物と、消去処理が施された画像データの印刷物が出力されるまでの手順を示すフロー図。
【図５】消去処理の概念図。
【図６】原稿の複写物と、消去処理が施された画像データの印刷物を同一用紙に印刷した用紙を示す図
【符号の説明】
【００２９】
１００  画像形成装置
１０６  操作パネル
２０１  資料作成キー
３０１  画像データ読取手段
３０２  解答認識手段
３０３  消去手段
３０４  出力手段
３０６  記憶手段
【図１】
2006121205.tif 000003
【図２】
2006121205.tif 000004
【図３】
2006121205.tif 000005
【図４】
2006121205.tif 000006
【図５】
2006121205.tif 000007
【図６】
2006121205.tif 000008